(57)【要約】      （修正有）【課題】外観デザイン性や美観性並びに取り付け容易性を兼ね備えかつ多様な板厚や横幅のパーテーション仕様に対応できるパーテーションスタンドを提供する。【解決手段】パーテーションＰを挟持するための同一形状をした一対のパーテーション保持部材２と前記パーテーション保持部材を取り付けるためのベース台３とからなるパーテーションスタンド１であって、前記パーテーション保持部材のそれぞれの一方の端部側は、前記ベース台の長手方向中央部の上方空間において前記ベース台の表面に対して直角となすパーテーション挟持面を面対称として互いの内面を押圧する押圧力を付与された状態で離着自在の自由端として配設され、また、前記パーテーション保持部材のそれぞれの他方の端部側は、前記ベース台の両端部近傍の表面に固定された固定端とした。【選択図】図２
0003232453.tif 000002
【実用新案登録請求の範囲】
【請求項１】
パーテーションを挟持するための同一形状をした一対のパーテーション保持部材と前記パーテーション保持部材を取り付けるためのベース台とからなるパーテーションスタンドであって、前記パーテーション保持部材のそれぞれの一方の端部側は、前記ベース台の長手方向中央部の上方空間において前記ベース台の表面に対して直角となすパーテーション挟持面を面対称として互いの内面を押圧する押圧力を付与された状態で離着自在の自由端として配設され、また、前記パーテーション保持部材のそれぞれの他方の端部側は、前記ベース台の両端部近傍の表面に固定された固定端としたことを特徴とするパーテーションスタンド。
【請求項２】
前記パーテーション保持部材は、断面矩形の細長部材とされ、前記自由端及び前記固定端からそれぞれ所定の長さを有する直状部が長手方向に形成されるとともにこれらの中間部には長手方向に略９０°の湾曲部が形成されていることを特徴とする請求項１記載のパーテーションスタンド。
【請求項３】
前記パーテーション保持部材の自由端側の前記直状部の長さは、固定端側の前記直状部の長さより長く形成されていることを特徴とする請求項１又は２記載のパーテーションスタンド。
【請求項４】
前記パーテーション保持部材の前記湾曲部の固定端側の左右対称位置には、前記パーテーション保持部材の自由端側の前記直状部の内面に所要の押圧力を付与するための押圧力付与部材を備え、前記押圧力付与部材は前記パーテーション保持部材の外面から前記ベース台に対して直角ないし略斜め方向に打ち込まれることを特徴とする請求項１又は２記載のパーテーションスタンド。
【請求項５】
前記ベース台は、平面形状が長方形、円形、楕円形、ひし形あるいはひょうたん形の何れか１つで形成されていることを特徴とする請求項１記載のパーテーションスタンド。
【請求項６】
前記パーテーション保持部材の前記自由端の近傍の外面には、つまみあるいは取手の何れか１つが取り付けられていることを特徴とする請求項１又は２記載のパーテーションスタンド。
【考案の詳細な説明】
【技術分野】
【０００１】  本考案は、間仕切り、パネル、及びつい立などのパーテーションを起立・固定するためのスタンドに関する。
【背景技術】
【０００２】  パーテーションは、ウィルス感染対策で空間を仕切るために最近では日常的に飲食店やオフィスなど各種施設のカウンターやテーブルに設置されてきており、またテレワークでのワーカーの後ろ側に背景用として設置されたり、さらに災害時の避難所でのプライバシー確保のために使用されるなど多様な使い方がされるようになってきており、これらパーテーションに対する需要は益々高まってきている。このため、これらのパーテーションの需要に比例してこれらを起立・固定するために必要となるスタンドの需要も多くなっている。
【先行技術文献】
【特許文献】
【０００３】
【特許文献１】特開２０１８−４８４４６号公報
【特許文献２】特開２０１７−９３７０７号公報
【考案の概要】
【考案が解決しようとする課題】
【０００４】  パーテーションを起立・固定するためのスタンドについては、特許文献１に示すようなパーテーション枠体に取り付け固定するタイプと、特許文献２に示すようなパーテーションを挟み込んで直接取り付け固定するタイプとに大別されるが、前者のタイプの場合にはスタンドへの固定にネジ留めなど煩雑な作業が必要でこれに加え取り付け用枠も必要となる場合もあるため、特に上述の使用例などでは作業性、利便性、及び汎用性に優位な後者のタイプの使用が多い。【０００５】  しかしながら、パーテーションを挟み込んで直接取り付け固定するタイプのスタンドは、予めパーテーションの板厚や横幅に合わせて一体型で専用製作されたものが多く、板厚や横幅が変わればその都度これらに合わせたスタンドを作り直す必要があった。また、接客用でテーブルから少し隙間を空けて上方に浮かした状態でパーテーションを設置する場合はパーテーションのテーブルとの平行度調整等に手間を要したり、また、そもそも隙間を空けて設置することができないスタンドも存在していた。
また最近のパーテーションスタンドの傾向として、パーテーションが設置される場所の環境あるいは雰囲気にマッチするものが要求されるなどこれまでの機能本位から特に外観デザイン性や美観性も重視されるようになってきた。【０００６】  本考案は上記課題を解決するため、外観デザイン性や美観性並びに取り付け容易性を兼ね備えかつ多様な板厚や横幅のパーテーション仕様に対応できるパーテーションスタンドを提供することを目的とする。
【課題を解決するための手段】
【０００７】  上記目的を達成するため、本考案のパーテーションスタンドは、パーテーションを挟持するための同一形状をした一対のパーテーション保持部材と前記パーテーション保持部材を取り付けるためのベース台とからなるパーテーションスタンドであって、前記パーテーション保持部材のそれぞれの一方の端部側は、前記ベース台の長手方向中央部の上方空間において前記ベース台の表面に対して直角となすパーテーション挟持面を面対称として互いの内面を押圧する押圧力を付与された状態で離着自在の自由端として配設され、また、前記パーテーション保持部材のそれぞれの他方の端部側は、前記ベース台の両端部近傍の表面に固定された固定端とし、前記パーテーション保持部材は、断面矩形の細長部材とされ、前記自由端及び前記固定端からそれぞれ所定の長さを有する直状部が長手方向に形成されるとともにこれらの中間部には長手方向に略９０°の湾曲部が形成されており、さらに、前記パーテーション保持部材の自由端側の前記直状部の長さは、固定端側の前記直状部の長さより長く形成されていることを特徴としている。
【考案の効果】
【０００８】  本考案のパーテーションスタンドを使用すれば、パーテーション保持部材の自由端の内面に付与されている押圧力によりパーテーションの板厚に関係なくパーテーションを挟み込んで任意の位置に簡易に固定することができる。このため、パーテーションをテーブルから浮かした状態で固定することも簡単に行なうことができる。また、パーテーションの大きさに応じてパーテーションスタンドを単体又は一対で使用すればよいので設置後にパーテーションの大きさや板厚が変わってもスタンドを作り替えることなく設置位置のみを変えることで対応することができる。さらにパーテーション保持部材の有する曲線美に加えベース台の形状を選択できるのでパーテーション設置場所の環境や雰囲気に応じたパーテーションスタンドを提供することができる。
【図面の簡単な説明】
【０００９】
【図１】本考案に係るパーテーションスタンドの外観斜視図で、ａ）はベース台が長方形の場合、ｂ）はベース台が楕円形の場合を示す。
【図２】本考案に係るパーテーションスタンドの使用状態を示す外観斜視図で、一対で使用した場合を示す図である。
【図３】図２の状態からパーテーションを少し浮かして設置した場合を示す外観斜視図である。
【図４】本考案に係るパーテーションスタンドの使用状態を示す外観斜視図で、単体で使用した場合を示す図である。
【図５】本考案に係るパーテーションスタンドで押圧力付与部材の打ち込み状況を示す一部切断側面図である。
【考案を実施するための形態】
【００１０】  以下、本考案に係るパーテーションスタンドの実施の形態について図１〜図５に基づいて説明する。
【００１１】  １はパーテーションスタンドで、同一形状をした一対のパーテーション保持部材２とこれらを取り付けるためのベース台３より構成されている。パーテーション保持部材２は、断面矩形の細長部材で両端部には直状部２ｄ、２ｇが形成されるとともにこれらの中間部には長手方向に略９０°の湾曲部２ｅが形成されている。この湾曲形状を利用して発生させる反発力又はバネ力が直状部２ｄの内面２ａを互いに押圧する押圧力すなわち挟持力として働きパーテーションＰを強固に保持する。なお、パーテーション保持部材２及びベース台３の素材は木材が使用される場合が多いが、合成樹脂やステンレスなどの金属を使用してもよい。
【００１２】  パーテーション保持部材２は図１ａ）又はｂ）に示すような姿勢でベース台３に取り付け固定されるが、取り付け固定方法は次の通りである。
先ず、ベース台３の長手方向中央部の上方空間においてベース台表面３ａに対して直角となすパーテーション挟持面４を面対称として互いの内面２ａ、２ａを離着自在で対向密着させた状態で端部を揃えて自由端２ｃとして配設し、次にこの状態を維持したままそれぞれの他方端をベース台３の両端部近傍の表面に固定端２ｆとして固定する。
また、他の方法としては、予め一方のパーテーション保持部材２を所定位置に取り付けておき、次に他方のパーテーション保持部材２を互いの内面２ａ、２ａに押圧力が掛かる状態を維持しながらベース台３に固定する。
ベース台３への固定は通常ビスや釘あるいは隠し釘などを用いて行う。なお、パーテーション挟持面４は図５に２点鎖線で示しているが、この挟持面４はパーテーションＰを取り付けた場合にはパーテーションＰの板厚方向の中心面に一致する。
【００１３】  パーテーション保持部材２を上述のようにベース台３に取り付け固定するとパーテーション保持部材２の反発力又はバネ力により内面２ａには互いに押し付け合う押圧力が生じ、この押圧力によりパーテーションＰを任意の位置に保持固定することができ、図３に示すようにテーブルから隙間Ｈを空けてパーテーションＰの下部に空間を作り出す場合でもパーテーションＰをその位置に挟み込むのみで簡易に取り付けることができる。
【００１４】  パーテーション保持部材２の内面２ａの押圧力を強化する場合は、請求項４に記載のようにパーテーション保持部材２の双方の湾曲部２ｅの固定端側の対称位置に押圧力付与部材６をパーテーション保持部材２の外面２ｂからベース台３に対して直角ないし略斜め方向に打ち込めば内面２ａの押圧力を強めることができる。なお、押圧力付与部材６は通常ビスや釘あるいは隠し釘などが用いられる。この押圧力付与部材６が打ち込まれた状況を図５に示す。
【００１５】  また、パーテーション保持部材２の自由端側の直状部２ｄは、請求項３に記載のようにパーテーションＰの保持力を確保するために固定端側の直状部２ｇより長く形成されている。パーテーションＰの大きさや重量が通常使用するものより大きい場合はこれに応じて直状部２ｄの長さを更に長くすればよい。なお、パーテーションＰの素材に応じて直状部２ｄの内面２ａには摩擦係数の大きい例えばゴムなどを貼り付けてもよい。
【００１６】  本考案のパーテーションスタンド１の使い方として、パーテーションＰが比較的大きい場合は図２又は図３に示すように一対で使用すれば安定的に設置することができ、またパーテーションＰが比較的小さい場合は図４に示すように単体で使用することもできる。なお、パーテーションスタンド１を一対で使用する場合にはパーテーションスタンド１の相互作用でカウンターやテーブルの上に置くだけよく、パーテーションスタンド１をカウンターやテーブルに固定する必要はない。
【００１７】  ベース台３の形状は、請求項５に記載のように使用される場所の環境や雰囲気に応じて長方形、円形、楕円形、ひし形あるいはひょうたん形などにすればパーテーション設置場所の環境や雰囲気にマッチし付加価値を高めることができる。代表的な例として、図１のａ）にベース台３の形状が長方形３ｂの場合を、また図１のｂ）にベース台３の形状が楕円形３ｃの場合をそれぞれ示している。なお、これらの形状は代表的なものを挙げたに過ぎず、これら以外の類似する形状も技術的範囲に含まれる。
【００１８】  また、パーテーション保持部材２の自由端２ｃの近傍の外面２ｂには請求項６に記載のようにつまみ又は取手を取り付けておけばパーテーションＰの着脱作業すなわち挟み込み作業がし易くなり作業性が更に向上する。
【符号の説明】
【００１９】１    パーテーションスタンド
２    パーテーション保持部材
２ａ  内面
２ｂ  外面
２ｃ  自由端
２ｄ  直状部（自由端側）
２ｅ  湾曲部
２ｆ  固定端
２ｇ  直状部（固定端側）
３    ベース台
３ａ  ベース台表面
３ｂ  ベース台（長方形）
３ｃ  ベース台（楕円形）
４    パーテーション挟持面
５    つまみ（取手）
６    押圧力付与部材
Ｐ    パーテーション
Ｈ    パーテーションとテーブルとの隙間
【図１】
0003232453.tif 000003
【図２】
0003232453.tif 000004
【図３】
0003232453.tif 000005
【図４】
0003232453.tif 000006
【図５】
0003232453.tif 000007
【手続補正書】
【提出日】令和3年2月5日(2021.2.5)
【手続補正１】
【補正対象書類名】実用新案登録請求の範囲
【補正対象項目名】請求項３
【補正方法】変更
【補正の内容】
【請求項３】
前記パーテーション保持部材の自由端側の前記直状部の長さは、固定端側の前記直状部の長さより長く形成されていることを特徴とする請求項２記載のパーテーションスタンド。
【手続補正２】
【補正対象書類名】実用新案登録請求の範囲
【補正対象項目名】請求項４
【補正方法】変更
【補正の内容】
【請求項４】
前記パーテーション保持部材の前記湾曲部の固定端側の左右対称位置には、前記パーテーション保持部材の自由端側の前記直状部の内面に所要の押圧力を付与するための押圧力付与部材を備え、前記押圧力付与部材は前記パーテーション保持部材の外面から前記ベース台に対して直角ないし略斜め方向に打ち込まれることを特徴とする請求項２記載のパーテーションスタンド。